(57)【要約】  【課題】従来の単純なビー球などの球体を転がす玩具を、創造性のあるものに進化させた回転式球体分別装置であること。  【解決手段】球体が投入される投入口１２と、該投入口１２から落下する球体を受けるシューター１と、該シューター１と固定される回転台３と、球体連続投入時には球体を次の送球口１３へと押し出す送球ガイド１８と、該シューター１から該送球ガイド１８を通過して球体が送られる送球口１３と、落下する球体を拘束するインナーガイド１４とアウターガイド１５と、該送球口１３から落下する球体に接触するターンガイド９と、回転の中心となるセンターシャフト２と、回転開始時に該回転台３と該シューター１と共に固定されて回転するセンターパイプ４と、回転により働く慣性による動きを止めるストレートガイド１０と、球体を排出する傾斜角度のついた複数個ある排出口６と、を備える。  【選択図】  図１
2008279226.tif 000002
【特許請求の範囲】
【請求項１】
球の形状の物を上部の一箇所の穴から投入すると球体自身の落下の力によってガイドが押される。それによって回転台が次の送球ラインまで角度をあわせて次に投入された球体の進行方向を決定し、次の排出口から球体が出てくる。又、連続で球体を投入したとしても、送球ガイドの働きで、１５ミリ以上の間隔が有れば詰まることなく連続で送球、排球できる装置。
【発明の詳細な説明】
【技術分野】
【０００１】  本発明は、球体の送排球を制御する技術に関する
【背景技術】
【０００２】  子供用玩具でよく見られるビー球、木球の動きを楽しむ玩具は単純な動きをするものが主流だった。そして乳児期や幼児期においては追視運動と予測する感覚を育てる玩具として、レール上でビー球、木球を転がらせて動きを楽しむ玩具が販売されているが、動きにバリエーションが乏しく、１個の球体が同じレール上を通るだけだった。
【発明の開示】
【発明が解決しようとする課題】
【０００３】  以上に述べたように、単純でかつバリエーションの乏しい動きを、技術的には上部の一箇所ある投入口から球体を投入すれば八箇所ある下部の排出口から順番に、規則正しく排出されるようにする事と、１５ミリ以上の間隔がある連続投入ならば詰まらずに送球、分別が可能な機構を目指した。
【課題を解決するための手段】
【０００４】  投入口が一つあれば、球体を投入後、シューターが回転台と連動して球体のラインを一個毎にそれぞれの送球口の角度に合わせる事ができるので、この機構の場合は８箇所の排出口に順番に送球する事ができるものとした。
【発明の効果】
【０００５】  内部構造で複雑な動きをする物を組み込むことで見慣れた球体の動きが、予想しにくい不思議な動きになり、想像力を高める効果が期待できる。１５ミリ以上の間隔があれば連続投入が可能なので複数個の球体が、この使用の場合、反時計回りに順番に排出される。
【発明を実施するための最良の形態】
【０００６】  単体での動きは面白くてもそれだけだが、従来からあるレールや小物と組み合わせることで、さらに創造する力がつき楽しみ方も広がる様にと考える。又、原動機で送球を制御して自動化することで、規則正しく分別され排出される球体の様子を鑑賞することができる。
【実施例】
【０００７】投入口１２から投入された球体は、落下後シューター１を経て任意の送球口１３へ送球ガイド１８を通って送られる。球体はインナーガイド１４とアウターガイド１５に拘束されながら落下しターンガイド９に接触したところで、球体の自重によりターンガイド９が押されて回転台３がセンターシャフト２（ベース７に固定）を中心にセンターパイプ４と固定されているシューター１と一緒に回転し始める。球体の落下が底部に達するとき自重による回転には慣性が働いている。次の送球の為のシューター１の角度を正確に出す為にストレートガイド１０が慣性による回転を抑える。こうしてターンガイド９とストレートガイド１０が回転ガイド通過ライン１６の軌道上を通過することでシューター１を正確な角度に導く。そして球体は傾斜角度のついた排出口６から排出され、次に投入された球、あるいは既に投入されていた球体は隣の送球口へと順番に送られていく仕組みである。【０００８】連続投入の可能な仕組みについての詳細。ターンガイド９上を球体が通過しようとした時に送球ガイド１８との間隔は図３で見ると球体が一個通過できる程度の隙間しか設定していないので、ターンガイド９が球体の自重で押されて回転が始まると連続で来た球体は送球ガイド１８に押されて次の送球口１３へと送られる仕組みである。
【産業上の利用可能性】
【０００９】基本的に球形状の物で回転の力を得られる重量があれば排出口に順番に送って行くことが可能であり、送りライン増減もガイドと回転台の寸法を適正な寸法に変えることで可能である。
【図面の簡単な説明】
【００１０】
【図１】本発明品の正面図
【図２】本発明品のＡ−Ａ断面図（平面）
【図３】本発明品の部分拡大図（正面）
【図４】本発明品の部分拡大図（平面）
【符号の説明】
【００１１】１  シューター
２  センターシャフト
３  回転台
４  センターパイプ
５  カラー
６  排出口
７  ベース
８  ボディ
９  ターンガイド
１０  ストレートガイド
１１  カバー
１２  投入口
１３  送球口
１４  インナーガイド
１５  アウターガイド
１６  回転ガイド通過ライン
１７  補強アーム
１８  送球ガイド
１９  軽量化穴
【図１】
2008279226.tif 000003
【図２】
2008279226.tif 000004
【図３】
2008279226.tif 000005
【図４】
2008279226.tif 000006
【手続補正書】
【提出日】平成20年1月16日(2008.1.16)
【手続補正１】
【補正対象書類名】特許請求の範囲
【補正対象項目名】請求項１
【補正方法】変更
【補正の内容】
【請求項１】
球体が投入される投入口と、該投入口から落下する球体を受け、球体の進行方向を任意の送球口の角度に導くシューターと、該シューターと固定される回転台と、球体連続投入時には球体を次の送球口へと押し出す送球ガイドと、該シューターから該送球ガイドを通過して球体が送られる送球口と、落下する球体を拘束するインナーガイドとアウターガイドと、該送球口から拘束されつつ落下する球体に接触するターンガイドと、回転の中心となるセンターシャフトと、回転開始時に該回転台と該シューターと共に固定されて回転するセンターパイプと、回転により働く慣性による動きを止めるストレートガイドと、球体を排出する傾斜角度のついた複数個ある排出口と、を備え、該送球口から落下する球体の自重によって押されたターンガイドの働きで該シューターと該回転台と該センターパイプと該ターンガイドと該ストレートガイドを一緒に回転させることを特徴とする回転式球体分別装置。
【手続補正２】
【補正対象書類名】明細書
【補正対象項目名】全文
【補正方法】変更
【補正の内容】
【発明の詳細な説明】
【技術分野】
【０００１】
本発明は、球体の送排球を制御する回転式球体分別装置に関する。
【背景技術】
【０００２】
子供用玩具でよく見られるビー球、木球の動きを楽しむ玩具は単純な動きをするものが主流だった。そして乳児期や幼児期においては追視運動と予測する感覚を育てる玩具として、レール上でビー球、木球を転がらせて動きを楽しむ玩具が販売されているが、動きにバリエーションが乏しく、１個の球体が同じレール上を通るだけだった。
【発明の開示】
【発明が解決しようとする課題】
【０００３】
以上に述べたように、単純でかつバリエーションの乏しい動きを、技術的には上部の一箇所ある投入口から球体を投入すれば八箇所ある下部の排出口から順番に、規則正しく排出されるようにする事と、１５ミリ以上の間隔がある連続投入ならば詰まらずに送球、分別が可能な機構を目指した。
【課題を解決するための手段】
【０００４】
投入口が一つあれば、球体を投入後、シューターが回転台と連動して回転し球体の送られる進行方向を一個毎にそれぞれの送球口の角度に合わせる事ができるので、この機構の場合は８箇所の排出口に順番に送球する事ができるものとした。すなわち球体が投入される投入口と、該投入口から落下する球体を受け進行方向を決定するシューターと、該シューターと固定される回転台と、球体連続投入時には球体を次の送球口へと押し出す送球ガイドと、該シューターから該送球ガイドを通過して球体が送られる送球口と、落下する球体を拘束するインナーガイドとアウターガイドと、該送球口から落下する球体に接触し球体の自重によって押され、その結果回転台を回転させるターンガイドと、回転の中心となるセンターシャフトと、回転開始時に該回転台と該シューターと共に固定されて回転するセンターパイプと、回転により働く慣性による動きを止めるストレートガイドと、球体を排出する傾斜角度のついた複数個ある排出口と、を備えた回転式球体分別装置である。
【発明の効果】
【０００５】
内部構造で複雑な動きをする物を組み込むことで見慣れた球体の動きが、予想しにくい不思議な動きになり、想像力を高める効果が期待できる。１５ミリ以上の間隔があれば連続投入が可能なので複数個の球体が、この使用の場合、反時計回りに順番に排出される。
【発明を実施するための最良の形態】
【０００６】
単体での動きは面白くてもそれだけだが、従来からあるレールや小物と組み合わせることで、さらに創造する力がつき楽しみ方も広がる様にと考える。又、原動機で送球を制御して自動化することで、規則正しく分別され排出される球の様子を鑑賞することができる。
【実施例】
【０００７】
投入口１２から投入された球体は、落下後シューター１を経て任意の送球口１３へ送球ガイド１８を通って送られる。球体はインナーガイド１４とアウターガイド１５に拘束されながら落下しターンガイド９に接触したところで、球体の自重によりターンガイド９が押されて回転台３がセンターシャフト２（ベース７に固定）を中心にセンターパイプ４と固定されているシューター１と一緒に回転し始める。球体の落下が底部に達するとき自重による回転には慣性が働いている。次の送球の為のシューター１の角度を正確に出す為にストレートガイド１０が慣性による回転を抑える。こうしてターンガイド９とストレートガイド１０が回転ガイド通過ライン１６の軌道上を通過することでシューター１を正確な角度に導く。そして球体は傾斜角度のついた排出口６から排出され、次に投入された球、あるいは既に投入されていた球体は隣の送球口へと順番に送られていく仕組みである。
【０００８】
連続投入の可能な仕組みについてさらに詳細に説明する。ターンガイド９上を球体が通過しようとした時に送球ガイド１８との間隔は図３で見ると球体が一個通過できる程度の隙間しか設定していないので、ターンガイド９が球体の自重で押されて回転が始まると連続で来た球体は送球ガイド１８に押されて次の送球口１３へと送られる仕組みである。
【産業上の利用可能性】
【０００９】
基本的に球形状の物で回転の力を得られる重量があれば排出口に順番に送って行くことが可能であり、球体が送られる送球口の増減もターンガイドと回転台の寸法を適正な寸法に変えることで可能である。
【図面の簡単な説明】
【００１０】
【図１】本発明品の正面図
【図２】本発明品のＡ−Ａ断面図（平面）
【図３】本発明品の部分拡大図（正面）
【図４】本発明品の部分拡大図（平面）
【符号の説明】
【００１１】
１  シューター
２  センターシャフト
３  回転台
４  センターパイプ
５  カラー
６  排出口
７  ベース
８  ボディ
９  ターンガイド
１０  ストレートガイド
１１  カバー
１２  投入口
１３  送球口
１４  インナーガイド
１５  アウターガイド
１６  回転ガイド通過ライン
１７  補強アーム
１８  送球ガイド
１９  軽量化穴